(57)【要約】【課題】庫内灯の緩みを回避する冷却用貯蔵庫を提供すること。【解決手段】庫内灯２にリード線１０、１１を接続するタブ端子２Ｃ、２Ｄを設け、電気配線を端子接続にしたので、振動による接続端子１２の緩みや抜け、外れの発生を極めて低くできる。また、庫内灯ソケット３は合成樹脂材料にて形成され、中空円筒体を二分した半割り体３Ａ、３Ｂの一方と他方が開閉可能に形成され、庫内灯２を収納した状態で半割り体３Ａ、３Ｂ同士を閉じてラッチを係止すると庫内灯２を保持すると共に庫内に取付けるための取付け部が形成される。【選択図】　図２
2004061045.tif 000002
【特許請求の範囲】
【請求項１】
庫内に取付けられる庫内灯ソケットと、この庫内灯ソケットに取付けられ支持される庫内灯とを備えた冷却用貯蔵庫において、前記庫内灯にリード線を接続するタブ端子を設け、電気配線を端子接続にしたことを特徴とする冷却用貯蔵庫。
【請求項２】
庫内に取付けられる庫内灯ソケットと、この庫内灯ソケットに取付けられ支持される庫内灯とを備えた冷却用貯蔵庫において、前記庫内灯ソケットを合成樹脂材料にて中空円筒体を二分した半割り体にて形成し、この半割り体の一方と他方を開閉可能に連結するヒンジ部と、その端部に設けたタブ端子に接続端子を介してリード線を接続した前記庫内灯を収納した状態で前記半割り体同士を閉じて係止するラッチ部と、庫内に取付けるための取付け部とを設けたことを特徴とする冷却用貯蔵庫。
【請求項３】
前記半割り体には溝を形成し、前記庫内灯を収納した状態で前記半割り体同士を閉じたときに前記溝に嵌合する固定片を前記庫内灯に設けたことを特徴とする請求項２に記載の冷却用貯蔵庫。
【発明の詳細な説明】
【０００１】
【発明の属する技術分野】
本発明は、恒温庫や家庭用の冷蔵庫などの冷却用貯蔵庫、詳述すれば庫内に取付けられる庫内灯ソケットと、この庫内灯ソケットに取付けられ支持される庫内灯とを備えた冷却用貯蔵庫に関するものである。
【０００２】
【従来の技術】
恒温庫や家庭用の冷蔵庫などの冷却用貯蔵庫には、例えば実開平５−７５９８４号公報に記載されているように、庫内灯ソケットが庫内の適所に設けられている。そして、断熱扉の開扉時に点灯する庫内灯の口金が庫内灯ソケットの受金に螺合して取付けられ、庫内灯装置が構成されている。
【０００３】
【発明が解決しようとする課題】
ところで、上記のような庫内灯装置では、冷却用貯蔵庫の開扉或いは閉扉に伴う振動、冷凍サイクルを構成する圧縮機の運転による振動などにより、受金に対する口金の螺合が緩み、ときに開扉時に庫内灯が点灯しないという問題が生じる。
【０００４】
また、コンプレッサ、凝縮器及び蒸発器を配管接続して冷媒の循環路を形成して成る冷凍サイクルに可燃性の炭化水素系冷媒である、例えばＨＣ冷媒を使用した冷却用貯蔵庫が増加している。そして、可燃性の冷媒を使用した冷却用貯蔵庫では、冷凍サイクルから冷媒が漏れているときに、庫内灯が緩み、口金と受金との間で火花が発生した場合には、漏れた冷媒への引火の原因になるというおそれもある。
【０００５】
そこで本発明は、上記の点に鑑みなされたものであり、庫内灯の緩みを回避する冷却用貯蔵庫を提供することを目的とする。
【０００６】
【課題を解決するための手段】
このため第１の発明は、庫内に取付けられる庫内灯ソケットと、この庫内灯ソケットに取付けられ支持される庫内灯とを備えた冷却用貯蔵庫において、前記庫内灯にリード線を接続するタブ端子を設け、電気配線を端子接続にしたことを特徴とする。
【０００７】
また第２の発明は、庫内に取付けられる庫内灯ソケットと、この庫内灯ソケットに取付けられ支持される庫内灯とを備えた冷却用貯蔵庫において、前記庫内灯ソケットを合成樹脂材料にて中空円筒体を二分した半割り体にて形成し、この半割り体の一方と他方を開閉可能に連結するヒンジ部と、その端部に設けたタブ端子に接続端子を介してリード線を接続した前記庫内灯を収納した状態で前記半割り体同士を閉じて係止するラッチ部と、庫内に取付けるための取付け部とを設けたことを特徴とする。
【０００８】
更に第３の発明は、前記半割り体には溝を形成し、前記庫内灯を収納した状態で前記半割り体同士を閉じたときに前記溝に嵌合する固定片を前記庫内灯に設けたことを特徴とする。
【０００９】
【発明の実施の形態】
以下、本発明の実施の形態を図に基づき説明する。図１は冷却用貯蔵庫である冷蔵庫の正面図、図２は庫内灯が取付けられ庫内灯ソケットが開いている状態の庫内灯装置の平面図、図３は庫内灯が取付けられ庫内灯ソケットが閉じている状態の庫内灯装置の平面図、図４は庫内灯ソケットが開いている状態の平面図、図５は同庫内灯ソケットが開いている状態の正面図、図６は同庫内灯ソケットが開いている状態の側面図、図７は庫内灯の正面図、図８は同庫内灯の側面図である。
【００１０】
先ず、１０１はそれぞれ前面扉が設けられた複数の食品保存室から成る冷蔵庫本体で、外箱と内箱及び両箱間に充填された発泡ウレタン等の断熱材により構成されている。この冷蔵庫本体１の内部は断熱作用のある仕切壁により仕切られ、上部より冷蔵室１０２、野菜室１０３、製氷室１０４及び使用者の選択により例えばマイナス３度Ｃ前後の温度環境（チルドやパーシャル）やマイナス１度Ｃ前後（氷温）の温度環境とすることができる温度切換室１０５、冷凍室１０６を備えており、冷蔵室１０２前面開口は開閉可能な回動式の冷蔵室扉１０７により閉塞可能であり、冷蔵室１０２の下の野菜室１０３、製氷室１０４及び温度切換室１０５、冷凍室１０６は引出し式の野菜室扉１０８、製氷室扉１０９、温度切換室扉１１０、冷凍室扉１１１により夫々閉塞されている。前記の各扉は、夫々鋼板から成る扉外箱である扉材と硬質合成樹脂材料から成る扉内箱である扉パネルとの間に発泡ウレタン等の断熱材を充填して構成される。
【００１１】
また、１は冷蔵庫の内部、即ち上記冷凍室１０６及び冷蔵室１０２などに設けられた庫内灯装置であり、この庫内灯装置１は庫内灯２と庫内灯ソケット３とより構成されている。そして、図示しない制御装置によって、冷蔵庫の上記各扉が開いた時にのみ商用電源電圧で駆動されて前記庫内灯２が点灯する。
【００１２】
前記庫内灯ソケット３は、中空円筒体を中心を通る面により縦方向に二分した半割り体３Ａ、３Ｂにて形成し、各半割り体３Ａ、３Ｂは内側に庫内灯２の口金２Ａを挟着し収納保持すべく断面が半円形状を呈しており、半割り体３Ａ、３Ｂの軸方向にある庫内灯の口金２Ａが延出する端部は開口され、庫内灯２のタブ端子２Ｃ、２Ｄおよびリード線１０、１１を収納する端部は閉塞されている。即ち、前記庫内灯ソケット３は半割り体３Ａ、３Ｂが閉じた状態では有底円筒状を呈することとなる。尚、庫内灯ソケット３は、例えばポリプロピレン樹脂などの合成樹脂材料にて形成されている。
【００１３】
この半割り体３Ａ、３Ｂの一方と他方を開閉可能に連結する薄肉のヒンジ部４が半割り体３Ａ、３Ｂの周方向の連接する双方の端部の略全長に渡って設けられている。半割り体３Ａ、３Ｂを連結するヒンジ部４の肉厚は連結元部から中央部に向って漸減させ中央部が最も薄肉に形成され、半割り体３Ａ、３Ｂの開閉を容易にしている。
【００１４】
また、半割り体３Ａ、３Ｂの連結されていない端部には半割り体３Ａ、３Ｂ同士を閉じて係止するラッチ部を形成するため、一方の半割り体３Ａの端部にはラッチの爪部５が設けられ、他方の半割り体３Ｂの端部には前記爪部５を係止する爪受け部６が設けられている。
【００１５】
そして、ラッチの爪部５および爪受け部６の元部には庫内灯ソケット３を例えば内箱背壁に固定する取付け部が形成され、即ち外周に内箱背壁に嵌合する溝７Ａ、７Ｂが設けられて、半割り体３Ａ、３Ｂが閉じられたときに溝７Ａ及び７Ｂが連通して両者で環状の取付け部が形成される。また、前記取付け部の内側には庫内灯２のリード線１０、１１を取り出す開口８をなす凹部８Ａ、８Ｂが設けられ、更にこの凹部８Ａ、８Ｂの一端には庫内灯２の固定片２Ｅが嵌合して挟着する溝９Ａ、９Ｂが形成されている。
【００１６】
また、前記庫内灯２には口金２Ａの一端部に発光部を覆う透明な被覆体２Ｂが形成され、口金２Ａの他端部には前記固定片２Ｅおよびタブ端子２Ｃ、２Ｄが設けられている。そして、前記タブ端子２Ｃ、２Ｄには接続端子が圧着されたリード線１０、１１が接続端子１２を介して接続され、この接続端子１２には旗型端子が使用され端子部は絶縁用のスリーブで被覆される。
【００１７】
以上のような庫内灯ソケット３を構成する一方の半割り体３Ｂにリード線１０、１１を接続した庫内灯２を収納し、庫内灯２の固定片２Ｅをリード線１０、１１を取り出す開口８の一端に設けられた溝部９Ｂに装着し、更にリード線１０、１１を凹部８Ｂに通した後、ヒンジ部４を介して半割り体３Ａ、３Ｂ同士を閉じて、ラッチの爪部５と爪受け部６を係止させることにより庫内灯２が庫内灯ソケット３に収納保持される。
【００１８】
このため、庫内灯２は口金２Ａが庫内灯ソケット３の半割り体３Ａ、３Ｂを閉じることによって挟持され周方向のがたつきが防止される。また、庫内灯２の固定片２Ｅが庫内灯ソケット３の開口８の溝部９Ａ、９Ｂに嵌装されているため、庫内灯２の軸方向へのずれと周方向への回転が防止される。
【００１９】
また、庫内灯２のタブ端子２Ｃ、２Ｄに挿嵌されたリード線１０、１１の接続端子１２は庫内灯ソケット３の半割り体３Ａ、３Ｂに覆われるので充電部が確実に被覆される。
【００２０】
この結果、前記冷蔵室扉１０７などの開閉による振動、または冷凍サイクルの運転による振動が庫内灯ソケット３に伝わって庫内灯ソケット３又は庫内灯２が振動した場合にも、この振動により庫内灯２のタブ端子２Ｃ、２Ｄに挿嵌されたリード線１０、１１の接続端子１２のゆるみや抜け、外れの発生を極めて低く抑えることできる。
【００２１】
また、従来の庫内灯の口金が庫内灯ソケットの受金に螺着される構成のものにおいては、庫内灯が庫内灯ソケットに対して緩む恐れがあるが、本発明は庫内灯２のタブ端子２Ｃ、２Ｄにリード線１０、１１の接続端子１２が挿嵌される構成にしたので、緩みや抜け、外れの発生を回避でき、可燃性のＨＣ冷媒を使用している冷蔵庫において、口金と受金との接触が不確実になったとき発生する恐れがある火花の発生を確実に回避することができる。
【００２２】
そして、庫内灯２を収納した状態で庫内灯ソケット３の半割り体３Ａ、３Ｂ同士を閉じてラッチの爪部５と爪受け部６を係止させると、ラッチ部の元部に庫内灯ソケット３を内箱背壁に固定する取付け部が形成され、この取付け部は従来の庫内灯ソケットの取付け部と同一形状とすることにより、従来の庫内灯装置１の代替として使用することができる。
【００２３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００２４】
【発明の効果】
以上のように本発明は、庫内灯が緩み、がたつきが発生することを確実に回避できる冷却用貯蔵庫を提供することができる。
【００２５】
また、可燃性の冷媒を使用した場合にも火花の発生を回避でき、安全性を向上した冷却用貯蔵庫を提供することができる。
【図面の簡単な説明】
【図１】冷蔵庫の正面図である。
【図２】庫内灯が取付けられ庫内灯ソケットが開いている状態の庫内灯装置の平面図である。
【図３】庫内灯が取付けられ庫内灯ソケットが閉じている状態の庫内灯装置の平面図である。
【図４】庫内灯ソケットが開いている状態の平面図である。
【図５】同庫内灯ソケットが開いている状態の正面図である。
【図６】同庫内灯ソケットが開いている状態の側面図である。
【図７】庫内灯の正面図である。
【図８】同庫内灯の側面図である。
【符号の説明】
１　　　　　　　庫内灯装置
２　　　　　　　庫内灯
２Ａ　　　　　　口金
２Ｃ、２Ｄ　　　タブ端子
２Ｅ　　　　　　固定片
３　　　　　　　庫内灯ソケット
３Ａ、３Ｂ　　　半割り体
４　　　　　　　ヒンジ部
５　　　　　　　ラッチ爪部
６　　　　　　　爪受け部
７Ａ、７Ｂ　　　溝
８　　　　　　　開口
９Ａ、９Ｂ　　　溝
１０、１１　　　リード線
１２　　　　　　接続端子
１０１　　　　　冷蔵庫本体
【図１】
2004061045.tif 000003
【図２】
2004061045.tif 000004
【図３】
2004061045.tif 000005
【図４】
2004061045.tif 000006
【図５】
2004061045.tif 000007
【図６】
2004061045.tif 000008
【図７】
2004061045.tif 000009
【図８】
2004061045.tif 000010